(57)【要約】【課題】安価な構成で、液体と空気との接触を低減し、液体の注ぎ性に優れた液体保管容器を提供する。【解決手段】液体を蓄えると共に容器開口部２と注ぎ部３を有する容器１と、前記容器開口部２を覆うと共に周縁部の一部を開口させて形成した蓋開口部８を有する蓋本体４と、前記蓋本体４に上下に回動自在に取りつけられ前記蓋開口部８を開閉する開閉板５とを備え、前記開閉板５の下面に板体１１を垂下させたもので、容器１を傾けると、板体１１がフロート（浮き）となり開閉板５を持ち上げると共に、液体が整流され、スムーズな流れとなり、コーヒー等の液体の注ぎ性を向上させることができる。【選択図】図２
2005329013.tif 000002
【特許請求の範囲】
【請求項１】
液体を蓄えると共に容器開口部と注ぎ部を有する容器と、前記容器開口部を覆うと共に周縁部の一部を開口させて形成した蓋開口部を有する蓋本体と、前記蓋本体に上下に回動自在に取りつけられ前記蓋開口部を開閉する開閉板とを備え、前記開閉板の下面に板体を垂下させたことを特徴とする液体保管容器。
【請求項２】
蓋開口部の幅寸法を、注ぎ部の幅寸法以下に設定した請求項１に記載の液体保管容器。
【請求項３】
開閉板が開成した時に、前記開閉体に設けた板体が容器の内面に当接するようにした請求項１又は２に記載の液体保管容器。
【請求項４】
板体の一部に、機体の流れ方向に対し垂直方向に平面部を設けた請求項１〜３のいずれか１項に記載の液体保管容器。
【請求項５】
開閉板の下面側を凹形状に形成した請求項１〜４のいずれか１項に記載の液体保管容器。
【請求項６】
板体を複数枚設け、前記板体で液体を注ぎ部の中央に導くようにした請求項１〜５のいずれか１項に記載の液体保管容器。
【発明の詳細な説明】
【技術分野】
【０００１】
本発明は、コーヒーや紅茶等を保管する液体保管容器に関するものである。
【背景技術】
【０００２】
従来の、この種の液体保管容器について図４を用いて説明する。
【０００３】
液体保管容器は、容器開口部２と、注ぎ部３とを有する容器１と、容器開口部２を覆う蓋本体４を備え、容器１内のコーヒー液と空気との接触を低減させ、コーヒー液の蒸発や酸化などの劣化を防止するため、容器１の注ぎ部３を覆う開閉板５を回動自在に設け、さらにその開閉板５の回動軸側に、開閉板５により注ぎ性が阻害されないようにするために錘６が取りつけられ、容器１を傾けたとき、自重で開閉板５が開くようにしていた（例えば、特許文献１参照）。
【特許文献１】特開２００１−３４６６８９号公報
【発明の開示】
【発明が解決しようとする課題】
【０００４】
しかしながら、前記従来の構成では、コーヒー液を注ぐ場合、錘６の自重により開閉板５が開くので、開閉板５によるコーヒー液の注ぎ性への阻害は改善されているが、コーヒー液の注ぎ性自体は、容器１の注ぎ部３の成型状態に左右され、例えば注ぎ部３から左右に広がり易い形状の容器１では注ぎ性がやはり悪いという課題を有していた。
【０００５】
また、開閉板５を自重で開閉するには、錘６などの重量のある金属製別部品等が必要であり、２部品以上の構成を必要とするという課題を有していた。
【０００６】
本発明は、前記従来の課題を解決するもので、安価な構成で、容器内の液体と空気との接触を低減させると共に、容器の注ぎ部の成型変動等による影響を軽減し、液体の注ぎ性を向上させた液体保管容器を提供することを目的とする。
【課題を解決するための手段】
【０００７】
前記従来の課題を解決するため、本発明の液体保管容器は、液体を蓄えると共に容器開口部と注ぎ部を有する容器と、前記容器開口部を覆うと共に周縁部の一部を開口させて形成した蓋開口部を有する蓋本体と、前記蓋本体に上下に回動自在に取りつけられ前記蓋開口部を開閉する開閉板とを備え、前記開閉板の下面に板体を垂下させたもので、安価な構成で、板体がフロート（浮き）となり開閉板を持ち上げると共に、液体が整流され、スムーズな流れとなり、コーヒー等の液体の注ぎ性を向上させることができる。
【発明の効果】
【０００８】
本発明の液体保管容器は、安価な構成で、容器内の液体と空気との接触を低減すると共に、液体の注ぎ性に優れている。
【発明を実施するための最良の形態】
【０００９】
第１の発明は、液体を蓄えると共に容器開口部と注ぎ部を有する容器と、前記容器開口部を覆うと共に周縁部の一部を開口させて形成した蓋開口部を有する蓋本体と、前記蓋本体に上下に回動自在に取りつけられ前記蓋開口部を開閉する開閉板とを備え、前記開閉板の下面に板体を垂下させたもので、安価な構成で、板体がフロート（浮き）となり開閉板を持ち上げると共に、液体が整流され、スムーズな流れとなり、コーヒー等の液体の注ぎ性を向上させることができる。
【００１０】
第２の発明は、特に、第１の発明の蓋開口部の幅寸法を、注ぎ部の幅寸法以下に設定したもので、蓋開口部の側面を液体が伝っても液体は注ぎ部内に確実に導かれるので、注ぎ性を向上させることができる。
【００１１】
第３の発明は、特に、第１または第２の発明の開閉板が開成した時に、前記開閉体に設けた板体が容器の内面に当接するようにしたもので、多量の液体が入った容器を傾けた場合でも、板体が容器の内面に当接して開閉板が一定量以上開かないので、必要以上に多量の液体が注ぎ部に流れることがなく、注ぎ性を向上させることができる。
【００１２】
第４の発明は、特に、第１〜３のいずれか１つの発明の板体の一部に、機体の流れ方向に対し垂直方向に平面部を設けたもので、液体の流れにより板体の平面部が押されて、開閉板がより容易に開くことになり、開閉板による液体の流れの阻害が軽減され、液体の注ぎ性をさらに向上させることができる。
【００１３】
第５の発明は、特に１〜４のいずれか１つの発明の開閉板の下面側を凹形状に形成したもので、開閉板をより容易に開かせることができるので液体の注ぎ性を向上させることができる。
【００１４】
第６の発明は、特に１〜５のいずれか１つの発明の板体を複数枚設け、前記板体で液体を注ぎ部の中央に導くようにしたもので、液体の流れをより制御することができることで液体の注ぎ性をさらに向上させることができる。
【００１５】
以下、本発明の実施の形態について、図面を参照しながら説明する。なお、この実施の形態によって本発明が限定されるものではない。
【００１６】
（実施の形態１）
図１（ａ）は、本発明の第１の実施の形態における液体保管容器の部分斜視図、図１（ｂ）は、同液体保管容器の蓋本体の分解斜視図、図２（ａ）は、液体保管容器の部分断面図、図２（ｂ）は、同液体保管容器を傾けた時の要部断面図である。
【００１７】
図において、液体であるコーヒー液７を貯える容器１は、上部に容器開口部２を有しており、その一部に容器１の外側に突出して注ぎ部３が設けられている。容器開口部２は着脱自在な蓋本体４により閉じられている。蓋本体４には一部を切り欠いて蓋開口部８が形成され、蓋開口部８は容器１の注ぎ部３と同方向を向き、その蓋開口部８の幅寸法８ａは、注ぎ部３の幅寸法３ａ以下になるように構成されている。蓋開口部８には、回転軸９を介して開閉板５が上下方向に回動自在に設けられ、蓋開口部８を開閉するようになっている。
【００１８】
開閉板５の下面には、外周で覆われた凹形状部１０と、注ぎ部３に対向するように、即ち液体の流れ方向と平行に板体１１が垂下している。
【００１９】
板体１１は、開閉板５が上方に開き、任意の開口寸法になったときに容器１の内壁に接触して開口面積をそれ以上広げないように制約するように構成されている。蓋本体４のコーヒー沸かし器等からコーヒー液を流入する流入口１２に対し、栓１３のレバー１３ａにより穴１３ｂを左右に摺動可能に設けられている。また、容器１には把手１４がバンド１５により固定されている。蓋本体４はフック１６により、容器１の内面に確実に固定されるよう構成されている。
【００２０】
以上のように構成された液体保管容器について、以下その動作、作用を説明する。
【００２１】
まず、コーヒー沸かし器（図示せず）から抽出されたコーヒー液は、容器１の蓋本体４に設けられた栓１３の穴１３ｂを通過し、蓋本体４の流入口１２を通って容器１に貯えられる。コーヒーの抽出が終わった時点で栓１３のレバー１３ａを動かし、穴１３ｂと流入口１２をずらせて容器１の内部を密閉し、コーヒー液を蒸発や空気との接触による劣化から保護した状態で保管を行う。
【００２２】
コーヒー液７をカップ（図示せず）に注ぐ場合、把手１４を持ち、容器１を傾斜させて容器１の注ぎ部３に向かい流出させる。蓋本体４の蓋開口部８を覆う開閉板５にコーヒー液が到達する。開閉板５の板体１１による浮力と、凹形状部１０による揚力で開閉板５は大きく上方に持ち上がりコーヒー液７を注ぎ部３へ流す通路を形成する。このとき、板体１１は、流れに対して並行であるのでコーヒー液７を注ぎ部３へ導く。
【００２３】
以上のように、本実施の形態によれば、容器１からコーヒー液７を注ぐときに、板体１１の浮力、及び開閉板５の凹形状１０の揚力により、開閉板５が大きく持ち上がり開閉板５がコーヒー液７の流れを阻害することのない通路を形成すると共に、板体１１がコーヒー液７を整流することで良好な注ぎ性を得ることができる。
【００２４】
また、容器１内にコーヒー液７が多量にあり、使用者がその重量により把手１４を保持したときに容器１を大きく傾けて多量のコーヒー液７が注ぎ部３より外部に流出しようとしたときには、板体１１が容器１の内部に接触して開閉板５の開口面積を制約するので、必要以上のコーヒー液７が外部に向かって一気に流出することなく、安定したコーヒーの注ぎ性を得ることができる。
【００２５】
（実施の形態２）
図３（ａ）は、本発明の第２の実施の形態における液体保管容器の部分断面図、図３（ｂ）は、同液体保管容器を傾けた時の要部断面図、図３（ｃ）は、同液体保管容器の蓋本体の開閉板の裏面斜視図である。なお、上記第１の実施の形態と同一部分は、同一符号を付して説明を省略し、相違点についてのみ説明する。
【００２６】
本実施の形態では、図３に示すように、開閉板５に、注ぎ部３に向かって傾斜した板体１７を複数設けたものである。さらに板体１７に、注ぎ部３の方向に対し垂直に、即ち液体の流れ方向に対し垂直方向に平面部１８を形成している。
【００２７】
以上のように構成された液体保管容器について、以下その動作、作用を説明する。
【００２８】
コーヒー液７をカップ（図示せず）に注ぐ場合、把手１４を持ち、容器１を傾斜させて容器１の注ぎ部３に向かい流出させる。蓋本体４の開口部８を覆う開閉板５にコーヒー液が到達する。開閉板５の板体１７に設けられた水平部１８は、注ぎ部３に対して垂直方向、即ち流れに対しても垂直方向であるので、コーヒー液７により押される。開閉板５は大きく持ち上げられコーヒー液７を注ぎ部３へ流す通路を形成する。また、コーヒー液７は、板体１７の間を通り、注ぎ部３に向かって流れる。
【００２９】
以上のように、本実施の形態によれば、容器１からコーヒー液７を注ぐときに、板体１７の浮力のみならず水平部１８に掛かる流れの力（揚力）により、開閉板５が大きく持ち上がり開閉板５がコーヒー液７の流れを阻害することのない通路を形成すると共に、板体１７がコーヒー液７を注ぎ部３の中央に向かい整流することで良好な注ぎ性を得ることができる。
【産業上の利用可能性】
【００３０】
以上のように、本発明にかかる液体保管容器は、安価な構成で、液体の注ぎ性を阻害することなくスムーズに開閉蓋を開き、また容器の注ぎ部の形状に拠らず注ぎ性を向上させることができるので、容器の材質にかかわらず、各種飲料や液体を収納する容器に適用できる。
【図面の簡単な説明】
【００３１】
【図１】（ａ）本発明の実施の形態１における液体保管容器の部分斜視図（ｂ）同液体保管容器の蓋本体の分解斜視図
【図２】（ａ）同液体保管容器の部分断面図（ｂ）同液体保管容器を傾けた時の要部断面図
【図３】（ａ）本発明の実施の形態２における液体保管容器の部分断面図（ｂ）同液体保管容器を傾けた時の要部断面図（ｃ）同液体保管容器の蓋本体の開閉板の裏面斜視図
【図４】従来の液体保管容器の断面図
【符号の説明】
【００３２】
１  容器
２  容器開口部
３  注ぎ部
４  蓋本体
５  開閉板
８  蓋開口部
１０  凹形状部
１１、１７  板体
【図１】
2005329013.tif 000003
【図２】
2005329013.tif 000004
【図３】
2005329013.tif 000005
【図４】
2005329013.tif 000006